(57)【要約】      （修正有）【課題】音質を大幅に向上し、ユーザの使用体験を改善することができる分周回路を内蔵した多振動ユニットのＴＷＳイヤホンを提供する。【解決手段】分周回路を内蔵した多振動ユニットのＴＷＳイヤホンは、イヤホン本体と、イヤホン本体に設けられた回路ユニットと、を含み、回路ユニットは、ブルートゥースモジュール１０と、ブルートゥースモジュールに電気的に接続された分周回路２０と、分周回路に電気的に接続され且つ異なる振動周波数を有する少なくとも２つのダイナミックユニットと、回路ユニットに給電する電池モジュール５０と、を含み、ブルートゥースモジュールは、オーディオ信号を受信し且つオーディオ信号を分周回路に出力してそれを分周し、分周回路は、分周された後の中低周波オーディオ信号及び高周波オーディオ信号をそれぞれ異なる振動周波数を有する２つのダイナミックユニットに伝送する。【選択図】図１
0003220967.tif 000002
【実用新案登録請求の範囲】
【請求項１】
イヤホン本体と、前記イヤホン本体に設けられた回路ユニットと、を含む分周回路を内蔵した多振動ユニットのＴＷＳイヤホンであって、
前記回路ユニットは、ブルートゥースモジュールと、前記ブルートゥースモジュールに電気的に接続された分周回路と、前記分周回路に電気的に接続され、且つ異なる振動周波数を有する少なくとも２つのダイナミックユニットと、前記回路ユニットに給電する電池モジュールと、を含み、
前記ブルートゥースモジュールは、オーディオ信号を受信し、且つ前記オーディオ信号を前記分周回路に出力してそれを分周し、前記分周回路は、分周された後の中低周波オーディオ信号及び高周波オーディオ信号をそれぞれ異なる振動周波数を有する２つの前記ダイナミックユニットに伝送することを特徴とする分周回路を内蔵した多振動ユニットのＴＷＳイヤホン。
【請求項２】
前記ブルートゥースモジュールのチップモデルは、ＡＢ１５２６、ＱＣＣ３０２０、ＱＣＣ３０２６、ＲＴＬ８７６３ＢＦＲ、ＡＢ１５３２或いはＢＥＳ２３００であることを特徴とする請求項１に記載の分周回路を内蔵した多振動ユニットのＴＷＳイヤホン。
【請求項３】
前記ダイナミックユニットは、第一ダイナミック型ドライバーユニットと第二ダイナミック型ドライバーユニットを含み、前記分周回路は、前記第一ダイナミック型ドライバーユニット及び前記第二ダイナミック型ドライバーユニットにそれぞれ接続されることを特徴とする請求項１に記載の分周回路を内蔵した多振動ユニットのＴＷＳイヤホン。
【請求項４】
前記分周回路は、第一電気抵抗、第二電気抵抗、第三電気抵抗及び第一コンデンサを含み、前記第一電気抵抗と前記第二電気抵抗の一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、前記第一ダイナミック型ドライバーユニットの正極に接続され、前記第二電気抵抗の他端は、前記第一コンデンサに接続され、前記第一コンデンサの他端は、前記第二ダイナミック型ドライバーユニットの正極に接続され、前記第三電気抵抗の他端は、前記第一ダイナミック型ドライバーユニットの負極と前記第二ダイナミック型ドライバーユニットの負極に接続され、且つ前記電気モジュールの負極に接続されることを特徴とする請求項１に記載の分周回路を内蔵した多振動ユニットのＴＷＳイヤホン。
【請求項５】
前記分周回路は、第一電気抵抗、第二電気抵抗及び第一コンデンサを含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第一ダイナミック型ドライバーユニットの正極に接続され、前記第二電気抵抗の他端は、前記第一コンデンサに接続され、前記第一コンデンサの他端は、前記第二ダイナミック型ドライバーユニットの正極に接続され、前記第一ダイナミック型ドライバーユニットの負極と前記第二ダイナミック型ドライバーユニットの負極は、前記電気モジュールの負極に接続されることを特徴とする請求項１に記載の分周回路を内蔵した多振動ユニットのＴＷＳイヤホン。
【請求項６】
前記分周回路は、第一電気抵抗、第二電気抵抗及び第三電気抵抗を含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、前記第一ダイナミック型ドライバーユニットの正極に接続され、前記第二電気抵抗の他端は、前記第二ダイナミック型ドライバーユニットの正極に接続され、前記第三電気抵抗の他端は、前記第一ダイナミック型ドライバーユニットの負極及び前記第二ダイナミック型ドライバーユニットの負極に接続され、且つ前記電池モジュールの負極に接続されることを特徴とする請求項１に記載の分周回路を内蔵した多振動ユニットのＴＷＳイヤホン。
【請求項７】
前記回路ユニットは、スイッチユニットをさらに備え、前記スイッチユニットは、前記電池モジュールの電源のオン／オフを制御し、
前記スイッチユニットは、タッチ式スイッチチップを含み、前記タッチ式スイッチチップのモデルは、ＴＴＰ２２３であることを特徴とする請求項１に記載の分周回路を内蔵した多振動ユニットのＴＷＳイヤホン。
【請求項８】
前記回路ユニットは、ＬＥＤランプ及びマイクをさらに含み、前記ＬＥＤランプは、前記電池モジュール及び前記ブルートゥースモジュールに電気的に接続され、前記マイクは、前記ブルートゥースモジュールに電気的に接続されることを特徴とする請求項１に記載の分周回路を内蔵した多振動ユニットのＴＷＳイヤホン。
【請求項９】
イヤホン本体と、前記イヤホン本体に設けられた回路ユニットと、を含む分周回路を内蔵した多振動ユニットのＴＷＳイヤホンであって、
前記回路ユニットは、ブルートゥースモジュールと、前記ブルートゥースモジュールに電気的に接続された分周回路と、前記分周回路に電気的に接続され、且つ異なる振動周波数を有する少なくとも１つのダイナミックユニットと少なくとも１つのバランスド・アーマチュア（ＢＡ）型ドライバーユニットとの組合せと、前記回路ユニットに給電する電池モジュールと、を含み、
前記ブルートゥースモジュールは、オーディオ信号を無線受信して、このオーディオ信号を前記分周回路に出力して分周し、前記分周回路は、分周された後の中低周波オーディオ信号をダイナミックユニットに伝送し、且つ高周波オーディオ信号を前記バランスド・アーマチュア（ＢＡ）型ドライバーユニットに伝送することを特徴とする請求項１に記載の分周回路を内蔵した多振動ユニットのＴＷＳイヤホン。
【請求項１０】
前記回路ユニットには、１つのダイナミックユニット及び２つのバランスド・アーマチュア（ＢＡ）型ドライバーユニットが設けられ、２つの前記バランスド・アーマチュア（ＢＡ）型ドライバーユニットは、それぞれ第一バランスド・アーマチュア（ＢＡ）型ドライバー及び第二バランスド・アーマチュア（ＢＡ）型ドライバーであり、前記分周回路は、前記ダイナミックユニット、前記第一バランスド・アーマチュア（ＢＡ）型ドライバー及び前記第二バランスド・アーマチュア（ＢＡ）型ドライバーにそれぞれ接続されることを特徴とする請求項９に記載の分周回路を内蔵した多振動ユニットのＴＷＳイヤホン。
【考案の詳細な説明】
【技術分野】
【０００１】
本考案は、完全ワイヤレスイヤホンの周波のオーディオ信号を内蔵した特別な分周回路によりそれぞれ属するドライバーユニット伝送することに関する。
【背景技術】
【０００２】
ＴＷＳ（Ｔｒｕe  Ｗｉｒeｌeｓｓ  Ｓｔeｒeｏ）とは、所謂真のワイヤレスステレオヘッドセットであり、その左右のイヤホンが完全に独立して、Ｂｌｕｅｔооｔｈ通信方式でオーディオ信号を転送するイヤホンのことである。ＴＷＳイヤホンは從來の有線イヤホンと比べて、ケーブルが絡まず、持ち運びが便利であるメリットがある。
【０００３】
既存のＴＷＳイヤホンには、クロスオーバー機能なしで主にダイアフラムを駆動することで低音域と高音域の周波数が同時に振動ユニットよりオーディオデータを再生するため、音質が悪く、ユーザーは不満を抱える。従って、既存の技術についてはさらなる発展が期待される。
【考案の概要】
【考案が解決しようとする課題】
【０００４】
従来技術の欠点に鑑みて、本考案は、音質を大幅に向上し、ユーザの使用体験を改善することができる分周回路を内蔵した多振動ユニットのＴＷＳイヤホンを提供することを課題とする。
【課題を解決するための手段】
【０００５】
上記の課題を解決するために、本考案の第一実施形態に係る分周回路を内蔵した多振動ユニットのＴＷＳイヤホンは、イヤホン本体と、前記イヤホン本体に設けられた回路ユニットなどを含む。前記回路ユニットは、ブルートゥースモジュールと、ブルートゥースモジュールに電気的に接続された分周回路と、分周回路に電気的に接続され且つ異なる振動周波数を有する少なくとも２つのダイナミックユニット若しくは少なくとも1つダイナミックユニットと少なくとも1つバランスド・アーマチュア（ＢＡ）ユニットの組合せ、回路ユニットに給電する電池モジュールなどを含む。前記ブルートゥースモジュールは、オーディオ信号を受信し、且つオーディオ信号を分周回路に出力してそれを分周し、前記分周回路は、分周された後の中低周波オーディオ信号及び高周波オーディオ信号をそれぞれ異なる振動周波数を有する２つの前記ダイナミックユニットに伝送する。
【０００６】
さらに、前記ブルートゥースモジュールのチップモデルは、ＡＢ１５２６、ＱＣＣ３０２０、ＱＣＣ３０２６、ＲＴＬ８７６３ＢＦＲ、ＡＢ１５３２或いはＢＥＳ２３００である。
【０００７】
さらに、前記ダイナミックユニットは、第一ダイナミックユニットと第二ダイナミックユニットを含み、前記分周回路は、前記第一ダイナミック型ドライバーユニット及び前記第二ダイナミック型ドライバーユニットにそれぞれ接続される。
【０００８】
さらに、前記分周回路は、第一電気抵抗、第二電気抵抗、第三電気抵抗及び第一コンデンサを含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、前記第一ダイナミック型ドライバーユニットの正極に接続され、前記第二電気抵抗の他端は、前記第一コンデンサに接続され、前記第一コンデンサの他端は、前記第二ダイナミック型ドライバーユニットの正極に接続され、前記第三電気抵抗の他端は、前記第一ダイナミック型ドライバーユニットの負極と前記第二ダイナミック型ドライバーユニットの負極に接続され、且つ前記電気モジュールの負極に接続される。
【０００９】
さらに、前記分周回路は、第一電気抵抗、第二電気抵抗及び第一コンデンサを含み、前記第一電気抵抗と前記第二電気抵抗の一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第一ダイナミック型ドライバーユニットの正極に接続され、前記第二電気抵抗の他端は、前記第一コンデンサに接続され、前記第一コンデンサの他端は、前記第二ダイナミック型ドライバーユニットの正極に接続され、前記第一ダイナミック型ドライバーユニットの負極と前記第二ダイナミック型ドライバーユニットの負極は、前記電気モジュールの負極に接続される。
【００１０】
さらに、前記分周回路は、第一電気抵抗、第二電気抵抗及び第三電気抵抗を含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、前記第一ダイナミック型ドライバーユニットの正極に接続され、前記第二電気抵抗の他端は、前記第二ダイナミック型ドライバーユニットの正極に接続され、前記第三電気抵抗の他端は、前記第一ダイナミック型ドライバーユニットの負極及び前記第二ダイナミック型ドライバーユニットの負極に接続され、且つ前記電池モジュールの負極に接続される。
【００１１】
さらに、前記回路ユニットは、スイッチユニットをさらに備え、前記スイッチユニットは、前記電池モジュールの電源のオン／オフを制御し、前記スイッチユニットは、タッチ式スイッチチップを含み、前記タッチ式スイッチチップのモデルは、ＴＴＰ２２３である。
【００１２】
さらに、前記回路ユニットは、ＬＥＤランプ及びマイクをさらに内蔵し、前記ＬＥＤランプは、前記電池モジュール及び前記ブルートゥースモジュールに電気的に接続され、前記マイクは、前記ブルートゥースモジュールに電気的に接続される。
【００１３】
また、本考案の第二実施形態に係る分周回路を内蔵した多基振動ユニットのＴＷＳイヤホンは、イヤホン本体と、前記イヤホン本体に設けられた回路ユニットと、を備え、前記回路ユニットは、ブルートゥースモジュールと、前記ブルートゥースモジュールに電気的に接続された分周回路と、前記分周回路に電気的に接続され、且つ異なる振動周波数を有する少なくとも１つのダイナミックユニットと少なくとも１つのバランスド・アーマチュア（ＢＡ）型ドライバーユニットとの組合せと、前記回路ユニットに給電する電池モジュールと、を含み、前記ブルートゥースモジュールは、オーディオ信号を無線受信して、このオーディオ信号を前記分周回路に出力して分周し、前記分周回路は、分周された後の中低周波オーディオ信号をダイナミックユニットに伝送し、且つ高周波オーディオ信号を前記バランスド・アーマチュア（ＢＡ）型ドライバーユニットに伝送する。
【００１４】
さらに、前記回路ユニットには、１つのダイナミックユニット及び２つのバランスド・アーマチュア（ＢＡ）型ドライバーユニットが設けられ、２つの前記バランスド・アーマチュア（ＢＡ）型ドライバーユニットは、それぞれ第一バランスド・アーマチュア（ＢＡ）型ドライバー及び第二バランスド・アーマチュア（ＢＡ）型ドライバーであり、前記分周回路は、前記ダイナミックユニット、前記第一バランスド・アーマチュア（ＢＡ）型ドライバー及び前記第二バランスド・アーマチュア（ＢＡ）型ドライバーにそれぞれ接続される。
【考案の効果】
【００１５】
本考案のＴＷＳイヤホンは、回路ユニットの内部に分周回路を内蔵し、且つ前記分周回路にそれぞれ接続され、異なる振動周波数を有する少なくとも２つのダイナミックユニット又は異なる振動周波数を有する少なくとも１つのダイナミックユニット及び少なくとも１つのバランスド・アーマチュア（ＢＡ）型ドライバーユニットを設ける。分周回路は、ブルートゥースモジュールが受信したオーディオ信号を中低周波オーディオ信号及び高周波オーディオ信号に分けて、それをそれぞれ異なる振動周波数を有する２つのダイナミックユニットに伝送するか若しくは１つのダイナミックユニット及び１つのバランスド・アーマチュア（ＢＡ）型ドライバーユニットに伝送して、再生する。分周された後のオーディオ信号は、その周波数にマッチングするダイナミックユニット又はバランスド・アーマチュア（ＢＡ）型ドライバーユニットを介して再生される。これにより、従来のＴＷＳイヤホンの音質効果が大幅に向上され、ユーザの使用体験を大きく改善し、イヤホンを持ち運ぶことも便利になる。
【図面の簡単な説明】
【００１６】
【図１】本考案の第一実施形態に係るＴＷＳイヤホンの電気回路の構成を示すブロック図である。
【図２】図１に示したブルートゥースモジュールの電気回路を示す図である。
【図３】図１に示した分周回路の実施例１に係る回路図である。
【図４】図１に示した分周回路の実施例２に係る回路図である。
【図５】図１に示した分周回路の実施例３に係る回路図である。
【図６】図１に示した回路ユニットのスイッチユニット、ＬＥＤランプ及びマイクの回路モジュールの構成図である。
【図７】本考案の第一実施形態に係るＴＷＳイヤホンの電気回路の構成を示すブロック図である。
【図８】図３に示した分周回路とダイナミックユニット、バランスド・アーマチュア（ＢＡ）型ドライバーユニットとの接続関係を示す回路図である。
【図９】図４に示した分周回路とダイナミックユニット、バランスド・アーマチュア（ＢＡ）型ドライバーユニットとの接続関係を示す回路図である。
【図１０】図５に示した分周回路とダイナミックユニット、バランスド・アーマチュア（ＢＡ）型ドライバーユニットとの接続関係を示す回路図である。
【図１１】図３に示した分周回路とダイナミックユニット、第一バランスド・アーマチュア（ＢＡ）型ドライバー、第二バランスド・アーマチュア（ＢＡ）型ドライバーとの接続関係を示す回路図である。
【図１２】図４に示した分周回路とダイナミックユニット、第一バランスド・アーマチュア（ＢＡ）型ドライバー、第二バランスド・アーマチュア（ＢＡ）型ドライバーとの接続関係を示す回路図である。
【図１３】図５に示した分周回路とダイナミックユニット、第一バランスド・アーマチュア（ＢＡ）型ドライバー、第二バランスド・アーマチュア（ＢＡ）型ドライバーとの接続関係を示す回路図である。
【考案を実施するための形態】
【００１７】
以下、明細書の図面を参照しながら、本考案の構成、目的及び利点などを詳細に説明する。明らかなように、以下記述した実施例は、ただ本考案の一部の実施例であり、全ての実施例ではない。当業者は、下記の実施例に基づいて、何の創造的な労働を払わない前提下で得た他の実施例も、本考案の保護範囲内に含まれる。
【００１８】
本考案の実施例におけるあらゆる方向的な指示（例えば、上、下、左、右、前、後・・・）は、ある特定状態（図面に示すように）での各部品の間の相対的な位置関係、運動状況等を解釈することのみに用いられる。もし、当該特定状態が変えられた場合、前記方向的な指示も相応的に変更される。
【００１９】
本考案において、特に限定しない限り、用語「接続」、「固定」等を広い意味を表す。例えば、「固定」とは、固定接続であってもよく、取り外し可能な接続であってもよく、一体成型されてもよい。「接続」とは、機械的な接続であってもよく、電気的な接続であってもよく、直接連接であってもよく、間接連接であってもよく、ひいては、２つの部品の内部連通又は２つの部品の相互作用関係であってもよい。当業者にとって、具体的な状況に応じて上記の用語の本考案での具体的な意味を理解できる。
【００２０】
また、本考案において、「第一」、「第二」等に関わる説明は、目的を説明することのみに用いられ、関連部品の重要性を表明／示唆すること又は関連部品の数を指定することではない。これにより、「第一」、「第二」が付けた部品は、少なくとも１つの当該部品を含むことを明示する又は暗示する。また、当業者が達成できる前提下で、各実施例の間の技術様態を組み合わせることが可能である。技術様態の組み合せが相互に矛盾する又は実現できない場合、新しく構成された技術提案は存在しないと見なされ、且つ本考案の請求項の保護範囲内に含まれない。  
【００２１】
図１に示すように、本考案の第一実施形態に係る分周回路を内蔵した多振動ユニットのＴＷＳイヤホンは、イヤホン本体（図示せず）と、前記イヤホン本体に設けられた回路ユニットと、を含む。
【００２２】
前記回路ユニットは、ブルートゥースモジュール１０と、ブルートゥースモジュール１０に電気的に接続された分周回路２０と、分周回路２０に電気的に接続され、且つ異なる振動周波数を有する少なくとも２つのダイナミックユニット３０と、前記回路ユニットに給電する電池モジュール５０と、を含む。
【００２３】
ブルートゥースモジュール１０は、ワイレス伝送技術によって、オーディオ信号を受信して、このオーディオ信号を分周回路２０に出力して、分周回路２０にてこれを分周する。分周回路２０は、分周された後の中低周波オーディオ信号及び高周波オーディオ信号を前記異なる振動周波数を有するダイナミックユニット３０にそれぞれ伝送する。ブルートゥースモジュール１０は、スマートフォン等のスマートデバイスの中からオーディオ信号を受信する。しかも、左右２つのＴＷＳイヤホンのブルートゥースモジュール１０は、無線通信して、データの伝送を行なうことができる。
【００２４】
ブルートゥースモジュール１０は、ブルートゥースチップに対応する回路を搭載することによって構成される。前記ブルートゥースチップは、ブルートゥースアンテナ回路に接続されて、Ａ２ＤＰプロトコル、ＨＦＰプロトコル、ＨＳＰプロトコルを実現できるモジュールである。常用されるブルートゥースチップは、クアルコムＱＣＣ３０ＸＸシリーズ、Ａｉｒоｈａ１５ＸＸシリーズ、Ｒｅａｌｔｅｋ８７６３シリーズ、ＢｅｓｔｅｃｈｎｉｃＢＥＳ２３シリーズ等である。ブルートゥースチップのオーディオ出力端子には、オーディオパワーアンプ回路がさらに接続されている。音源のデジタル信号は、ブルートゥースモジュール１０によりアナログ信号にデコードされて、分周回路２０に送信される。本考案のブルートゥースモジュール１０のチップのモデルは、具体的にＡＢ１５２６、ＱＣＣ３０２０、ＱＣＣ３０２６、ＲＴＬ８７６３ＢＦＲ、ＡＢ１５３２或いはＢＥＳ２３００である。好ましくは、図２に示すように、本考案のブルートゥースモジュール１０のチップのモデルは、ＡＢ１５２６である。ＡＢ１５２６は、高密度オーディオアプリケーションに用いられるベースバンドとラジオとを統合し、Ｂｌｕｅｔооｔｈ４．２デュアルモード認証をサポートし、シリアルフラッシュを内蔵し、第三者ソフトウェアの移植をサポートする。  
【００２５】
分周回路２０は、イヤホンの具体的な振動ユニット（ダイナミックサークル或いはリングアイロン混合）及び筐体に基づいて設計されたものであり、ハイパス／ローパスフィルタリングを実行できるだけではなく、電力減衰を実現することもできる回路である。分周回路２０は、アナログ信号をフィルタリングして、それを高周波信号と中低周波信号とに分割して、異なる振動周波数の２つのダイナミックユニット３０にそれぞれ伝送する。
【００２６】
一般的には、ダイナミックユニット３０のドライバー直径は、Φ６ｍｍ又はΦ１０ｍｍである。ダイナミックユニット３０は、分周回路２０から伝送してきた分周信号を受信して、それを対応する周波数の音波に変換する。
【００２７】
図１に示すように、本実施例のダイナミックユニット３０は、第一ダイナミック型ドライバーユニット３１及び第二ダイナミック型ドライバーユニット３２を含む。分周回路２０は、第一ダイナミック型ドライバーユニット３１及び第二ダイナミック型ドライバーユニット３２にそれぞれ接続されている。第一ダイナミック型ドライバーユニット３１と第二ダイナミック型ドライバーユニット３２は、異なる振動周波数を有する。例えば、第一ダイナミック型ドライバーユニット３１は、直径が６ｍｍであり、ベリリウムがコーティングされ、第二ダイナミック型ドライバーユニット３２は、直径が１０ｍｍであり、ＰＥＴ材料により作製される。即ち、この２種類の異なる構造及び材質を有するダイナミック型ドライバーユニットの振動特性及び音響周波数応答は、それぞれ異なっている。これにより、分周回路２０により分周された後のアナログオーディオ信号は、ＴＷＳイヤホンの第一ダイナミック型ドライバーユニット３１、第二ダイナミック型ドライバーユニット３２を介して２つの異なる周波数の音波を生成する。ユーザは、ＴＷＳイヤホンを利用して、高周波音波と中低周波音波により構成される全周波数音波を聞くことができ、従来のＴＷＳイヤホンに比べて、音質効果が大幅に向上した。
【００２８】
具体的には、図３に示すように、分周回路２０の実施例１として、分周回路２０は、第一電気抵抗Ｒ１、第二電気抵抗Ｒ２、第三電気抵抗Ｒ３及び第一コンデンサＣ１を含む。第一電気抵抗Ｒ１と第二電気抵抗Ｒ２との一端は、それぞれブルートゥースモジュール１０が出力したオーディオ信号の正極ＴＰ＋及び電池モジュール５０の正極に接続されている。ブルートゥースモジュール１０が出力したオーディオ信号の負極ＴＰ−は、電池モジュール５０の負極に接続されている。第一電気抵抗Ｒ１の他端は、第三電気抵抗Ｒ３に接続されると共に、第一ダイナミック型ドライバーユニット３１の正極に接続される。第二電気抵抗Ｒ２の他端は、第一コンデンサＣ１に接続される。第一コンデンサＣ１の他端は、第二ダイナミック型ドライバーユニット３２の正極に接続される。第三電気抵抗Ｒ３の他端は、第一ダイナミック型ドライバーユニット３１の負極と第二ダイナミック型ドライバーユニット３２の負極に接続され、且つ電気モジュール５０の負極に接続される。
【００２９】
図４に示すように、分周回路２０の実施例２として、分周回路２０は、第一電気抵抗Ｒ１、第二電気抵抗Ｒ２及び第一コンデンサＣ１を含む。第一電気抵抗Ｒ１と第二電気抵抗Ｒ２との一端は、それぞれブルートゥースモジュール１０が出力したオーディオ信号の正極ＴＰ＋及び電池モジュール５０の正極に接続される。ブルートゥースモジュール１０が出力したオーディオ信号の負極ＴＰ−は、電池モジュール５０の負極に接続されている。第一電気抵抗Ｒ１の他端は、第一ダイナミック型ドライバーユニット３１の正極に接続される。第二電気抵抗Ｒ２の他端は、第一コンデンサＣ１に接続される。第一コンデンサＣ１の他端は、第二ダイナミック型ドライバーユニット３２の正極に接続される。第一ダイナミック型ドライバーユニット３１の負極と第二ダイナミック型ドライバーユニット３２の負極は、電気モジュール５０の負極に接続される。
【００３０】
図５に示すように、分周回路２０の実施例３として、分周回路２０は、第一電気抵抗Ｒ１、第二電気抵抗Ｒ２及び第三電気抵抗Ｒ３を含む。第一電気抵抗Ｒ１と第二電気抵抗Ｒ２との一端は、それぞれブルートゥースモジュール１０が出力したオーディオ信号の正極ＴＰ＋及び電池モジュール５０の正極に接続されている。ブルートゥースモジュール１０が出力したオーディオ信号の負極ＴＰ−は、電池モジュール５０の負極に接続されている。第一電気抵抗Ｒ１の他端は、第三電気抵抗Ｒ３に接続されると共に、第一ダイナミック型ドライバーユニット３１の正極に接続される。第二電気抵抗Ｒ２の他端は、第二ダイナミック型ドライバーユニット３２の正極に接続される。第三電気抵抗Ｒ３の他端は、第一ダイナミック型ドライバーユニット３１の負極及び第二ダイナミック型ドライバーユニット３２の負極に接続され、且つ電池モジュール５０の負極に接続される。
【００３１】
上述した三種類のＴＷＳイヤホンの分周回路２０の構造は簡単であり、コストも低く、普及され易い。
【００３２】
図６に示すように、好ましくは、本考案に係るＴＷＳイヤホンの回路ユニットは、スイッチユニット６０をさらに備える。スイッチユニット６０は、電池モジュール５０の電源のオン／オフを制御する。スイッチユニット６０は、タッチ式スイッチチップを含む。前記タッチ式スイッチチップのモデルは、ＴＴＰ２２３である。前記タッチ式スイッチチップによって、前記スイッチユニット６０の制御は、柔軟且つ便利になる。
【００３３】
本考案に係るＴＷＳイヤホンの回路ユニットは、ＬＥＤランプ７０及びマイク８０をさらに備える。ＬＥＤランプ７０は、電池モジュール５０及びブルートゥースモジュール１０に電気的に接続される。マイク８０は、ブルートゥースモジュール１０に電気的に接続される。マイク８０によって、ユーザはＴＷＳイヤホンで直接に通話することができる。ＬＥＤランプ７０は、ＴＷＳイヤホンの通電状態及び作動状態を指示することができる。
【００３４】
図７に示すように、本考案の第二実施形態に係る分周回路を内蔵した多振動ユニットのＴＷＳイヤホンは、イヤホン本体と、前記イヤホン本体に設けられた回路ユニットと、を含む。
【００３５】
前記回路ユニットは、ブルートゥースモジュール１０と、ブルートゥースモジュール１０に電気的に接続された分周回路２０と、分周回路２０に電気的に接続され、且つ異なる振動周波数を有する少なくとも１つのダイナミックユニット３０と少なくとも１つのバランスド・アーマチュア（ＢＡ）型ドライバーユニット４０との組合せと、前記回路ユニットに給電する電池モジュール５０と、を備える。
【００３６】
ブルートゥースモジュール１０は、オーディオ信号を無線受信して、このオーディオ信号を分周回路２０に出力して、分周回路２０にてこれを分周する。分周回路２０は、分周された後の中低周波オーディオ信号をダイナミックユニット３０に伝送し、且つ高周波オーディオ信号をバランスド・アーマチュア（ＢＡ）型ドライバーユニット４０に伝送する。
【００３７】
第二実施形態のダイナミックユニット３０とバランスド・アーマチュア（ＢＡ）型ドライバーユニット４０は、様々な組合せ方法があることが可能である。例えば、１つのダイナミックユニット３０と１つのバランスド・アーマチュア（ＢＡ）型ドライバーユニット４０とを組み合わせてもよく、１つのダイナミックユニット３０と２つのバランスド・アーマチュア（ＢＡ）型ドライバーユニット４０とを組み合わせてもよく、２つのダイナミックユニット３０と２つのバランスド・アーマチュア（ＢＡ）型ドライバーユニット４０とを組み合わせてもよい。
【００３８】
図８ないし図１０に示すように、第二実施形態に係る回路ユニットには、１つのダイナミックユニット３０と１つのバランスド・アーマチュア（ＢＡ）型ドライバーユニット４０が設けられている。
【００３９】
ダイナミックユニット３０は、低音域ダイナミックユニットであり、一般的にはその直径が６ｍｍ或いは１０ｍｍである。ダイナミックユニット３０は、中低周波のアナログ信号を受信して、それを中低周波音波に変換する。バランスド・アーマチュア（ＢＡ）型ドライバーユニット４０は、高音バランスド・アーマチュア（ＢＡ）型ドライバーユニットであり、高周波のアナログ信号を受信して、それを高周波音波に変換する。分周回路２０は、ブルートゥースモジュール１０が受信したオーディオ信号を中低周波オーディオ信号と高周波オーディオ信号に分周し、分周された後の中低周波オーディオ信号をダイナミックユニット３０に伝送して中低周波音波を生成し、高周波オーディオ信号をバランスド・アーマチュア（ＢＡ）型ドライバーユニット４０に伝送して高周波音波を生成し、且つダイナミックユニット３０とバランスド・アーマチュア（ＢＡ）型ドライバーユニット４０を介して前記中低周波音波と前記高周波音波をそれぞれ再生する。これにより、本考案のＴＷＳイヤホンの音質は、大幅に向上された。
【００４０】
さらに、図１１ないし図１３に示すように、第二実施形態に係る回路ユニットには、１つのダイナミックユニット３０及び２つのバランスド・アーマチュア（ＢＡ）型ドライバーユニット４０が設けられる。２つのバランスド・アーマチュア（ＢＡ）型ドライバーユニット４０は、それぞれ第一バランスド・アーマチュア（ＢＡ）型ドライバー４１及び第二バランスド・アーマチュア（ＢＡ）型ドライバー４２である。分周回路２０は、ダイナミックユニット３０、第一バランスド・アーマチュア（ＢＡ）型ドライバー４１及び第二バランスド・アーマチュア（ＢＡ）型ドライバー４２に接続される。これにより、ブルートゥースモジュール１０が受信したオーディオ信号の高周波部分をさらに２つの高周波オーディオ信号に分け、且つそれぞれ第一バランスド・アーマチュア（ＢＡ）型ドライバー４１及び第二バランスド・アーマチュア（ＢＡ）型ドライバー４２によって、２つの高周波音波を生成して、再生する。
【００４１】
要約すると、本考案の分周回路を内蔵し、多振動ユニットを有するＴＷＳイヤホンは、回路ユニットの内部に分周回路２０を設け、且つ異なる振動周波数を有する少なくとも２つのダイナミックユニット３０又は異なる振動周波数を有する少なくとも１つのダイナミックユニット３０及び少なくとも１つのバランスド・アーマチュア（ＢＡ）型ドライバーユニット４０を設ける。分周回路２０は、ブルートゥースモジュール１０が受信したオーディオ信号を中低周波オーディオ信号及び高周波オーディオ信号に分けて、それをそれぞれ異なる振動周波数を有する２つのダイナミックユニット３０に伝送する、又は１つのダイナミックユニット３０及び１つのバランスド・アーマチュア（ＢＡ）型ドライバーユニット４０に伝送して、再生する。分周された後のオーディオ信号は、その周波数にマッチングするダイナミックユニット３０又はバランスド・アーマチュア（ＢＡ）型ドライバーユニット４０を介して再生される。これにより、従来のＴＷＳイヤホンの音質効果が大幅に向上され、ユーザの使用体験を大きく改善した。
【００４２】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００４３】
１０    ブルートゥースモジュール
２０    分周回路
３０    ダイナミックユニット
３１    第一ダイナミック型ドライバーユニット
３２    第二ダイナミック型ドライバーユニット
４０    バランスド・アーマチュア（ＢＡ）型ドライバーユニット
４１    第一バランスド・アーマチュア（ＢＡ）型ドライバー
４２    第二バランスド・アーマチュア（ＢＡ）型ドライバー
５０    電池モジュール
６０    スイッチユニット
７０    ＬＥＤランプ
８０    マイク
【図１】
0003220967.tif 000003
【図２】
0003220967.tif 000004
【図３】
0003220967.tif 000005
【図４】
0003220967.tif 000006
【図５】
0003220967.tif 000007
【図６】
0003220967.tif 000008
【図７】
0003220967.tif 000009
【図８】
0003220967.tif 000010
【図９】
0003220967.tif 000011
【図１０】
0003220967.tif 000012
【図１１】
0003220967.tif 000013
【図１２】
0003220967.tif 000014
【図１３】
0003220967.tif 000015
【手続補正書】
【提出日】平成31年2月15日(2019.2.15)
【手続補正１】
【補正対象書類名】実用新案登録請求の範囲
【補正対象項目名】全文
【補正方法】変更
【補正の内容】
【実用新案登録請求の範囲】
【請求項１】
イヤホン本体と、前記イヤホン本体に設けられた回路ユニットと、を含む分周回路を内蔵した多振動ユニットのＴＷＳイヤホンであって、
前記回路ユニットは、ブルートゥースモジュールと、前記ブルートゥースモジュールに電気的に接続された分周回路と、前記分周回路に電気的に接続され、且つ異なる振動周波数を有する少なくとも２つのダイナミックユニットと、前記回路ユニットに給電する電池モジュールと、を含み、
前記ブルートゥースモジュールは、オーディオ信号を受信し、且つ前記オーディオ信号を前記分周回路に出力してそれを分周し、前記分周回路は、分周された後の中低周波オーディオ信号及び高周波オーディオ信号をそれぞれ異なる振動周波数を有する２つの前記ダイナミックユニットに伝送することを特徴とする分周回路を内蔵した多振動ユニットのＴＷＳイヤホン。
【請求項２】
前記ブルートゥースモジュールのチップモデルは、ブルートゥース４．２デュアルモード認証に対応可能であることを特徴とする請求項１に記載の分周回路を内蔵した多振動ユニットのＴＷＳイヤホン。
【請求項３】
前記ダイナミックユニットは、第一ダイナミック型ドライバーユニットと第二ダイナミック型ドライバーユニットを含み、前記分周回路は、前記第一ダイナミック型ドライバーユニット及び前記第二ダイナミック型ドライバーユニットにそれぞれ接続されることを特徴とする請求項１に記載の分周回路を内蔵した多振動ユニットのＴＷＳイヤホン。
【請求項４】
前記分周回路は、第一電気抵抗、第二電気抵抗、第三電気抵抗及び第一コンデンサを含み、前記第一電気抵抗と前記第二電気抵抗の一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、第一ダイナミック型ドライバーユニットの正極に接続され、前記第二電気抵抗の他端は、前記第一コンデンサに接続され、前記第一コンデンサの他端は、第二ダイナミック型ドライバーユニットの正極に接続され、前記第三電気抵抗の他端は、前記第一ダイナミック型ドライバーユニットの負極と前記第二ダイナミック型ドライバーユニットの負極に接続され、且つ前記電池モジュールの負極に接続されることを特徴とする請求項１に記載の分周回路を内蔵した多振動ユニットのＴＷＳイヤホン。
【請求項５】
前記分周回路は、第一電気抵抗、第二電気抵抗及び第一コンデンサを含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、第一ダイナミック型ドライバーユニットの正極に接続され、前記第二電気抵抗の他端は、前記第一コンデンサに接続され、前記第一コンデンサの他端は、第二ダイナミック型ドライバーユニットの正極に接続され、前記第一ダイナミック型ドライバーユニットの負極と前記第二ダイナミック型ドライバーユニットの負極は、前記電池モジュールの負極に接続されることを特徴とする請求項１に記載の分周回路を内蔵した多振動ユニットのＴＷＳイヤホン。
【請求項６】
前記分周回路は、第一電気抵抗、第二電気抵抗及び第三電気抵抗を含み、前記第一電気抵抗と前記第二電気抵抗との一端は、それぞれ前記ブルートゥースモジュールが出力したオーディオ信号の正極ＴＰ＋及び前記電池モジュールの正極に接続され、前記ブルートゥースモジュールが出力したオーディオ信号の負極ＴＰ−は、前記電池モジュールの負極に接続され、前記第一電気抵抗の他端は、前記第三電気抵抗に接続されると共に、第一ダイナミック型ドライバーユニットの正極に接続され、前記第二電気抵抗の他端は、第二ダイナミック型ドライバーユニットの正極に接続され、前記第三電気抵抗の他端は、前記第一ダイナミック型ドライバーユニットの負極及び前記第二ダイナミック型ドライバーユニットの負極に接続され、且つ前記電池モジュールの負極に接続されることを特徴とする請求項１に記載の分周回路を内蔵した多振動ユニットのＴＷＳイヤホン。
【請求項７】
前記回路ユニットは、スイッチユニットをさらに備え、前記スイッチユニットは、前記電池モジュールの電源のオン／オフを制御し、
前記スイッチユニットは、タッチ式スイッチチップを含む、ことを特徴とする請求項１に記載の分周回路を内蔵した多振動ユニットのＴＷＳイヤホン。
【請求項８】
前記回路ユニットは、ＬＥＤランプ及びマイクをさらに含み、前記ＬＥＤランプは、前記電池モジュール及び前記ブルートゥースモジュールに電気的に接続され、前記マイクは、前記ブルートゥースモジュールに電気的に接続されることを特徴とする請求項１に記載の分周回路を内蔵した多振動ユニットのＴＷＳイヤホン。
【請求項９】
イヤホン本体と、前記イヤホン本体に設けられた回路ユニットと、を含む分周回路を内蔵した多振動ユニットのＴＷＳイヤホンであって、
前記回路ユニットは、ブルートゥースモジュールと、前記ブルートゥースモジュールに電気的に接続された分周回路と、前記分周回路に電気的に接続され、且つ異なる振動周波数を有する少なくとも１つのダイナミックユニットと少なくとも１つのバランスド・アーマチュア（ＢＡ）型ドライバーユニットとの組合せと、前記回路ユニットに給電する電池モジュールと、を含み、
前記ブルートゥースモジュールは、オーディオ信号を無線受信して、このオーディオ信号を前記分周回路に出力して分周し、前記分周回路は、分周された後の中低周波オーディオ信号をダイナミックユニットに伝送し、且つ高周波オーディオ信号を前記バランスド・アーマチュア（ＢＡ）型ドライバーユニットに伝送することを特徴とする請求項１に記載の分周回路を内蔵した多振動ユニットのＴＷＳイヤホン。
【請求項１０】
前記回路ユニットには、１つのダイナミックユニット及び２つのバランスド・アーマチュア（ＢＡ）型ドライバーユニットが設けられ、２つの前記バランスド・アーマチュア（ＢＡ）型ドライバーユニットは、それぞれ第一バランスド・アーマチュア（ＢＡ）型ドライバー及び第二バランスド・アーマチュア（ＢＡ）型ドライバーであり、前記分周回路は、前記ダイナミックユニット、前記第一バランスド・アーマチュア（ＢＡ）型ドライバー及び前記第二バランスド・アーマチュア（ＢＡ）型ドライバーにそれぞれ接続されることを特徴とする請求項９に記載の分周回路を内蔵した多振動ユニットのＴＷＳイヤホン。